(57)【要約】【課題】厚みや材料等の状態の異なる複数の部位を有するシート（混在シート）に対する画像形成の品質を向上させることができる画像形成装置を提供することである。【解決手段】実施形態の画像形成装置は、転写部と、転写制御部と、を持つ。転写部は、像担持体上に形成された像をシートに転写する。転写制御部は、状態が異なる少なくとも第一領域と第二領域を持つシートに対して、それぞれの領域に対して第一転写条件と第二転写条件とを設定する。【選択図】図５
2018120088.tif 000002
【特許請求の範囲】
【請求項１】
像担持体上に形成された像をシートに転写する転写部と、
状態が異なる少なくとも第一領域と第二領域を持つシートに対して、それぞれの領域に対して第一転写条件と第二転写条件とを設定する転写制御部と、
を有する画像形成装置。
【請求項２】
前記第一転写条件及び前記第二転写条件は、前記転写部に対して印加される転写バイアスの値である、請求項１に記載の画像形成装置。
【請求項３】
前記転写制御部は、シートが前記転写部を通過する間に、前記転写部に対して規定の電流又は電圧を印加し、その際に検出された前記転写部の電流又は電圧に基づいて前記第一領域及び前記第二領域のそれぞれに適した前記転写条件をもとめる
請求項２に記載の画像形成装置。
【請求項４】
前記シートに対し加熱及び加圧を行うことによって前記像を前記シートに定着させる定着部と、
前記定着部における定着処理の動作条件である定着条件を決定する定着制御部と、をさらに備え、
前記定着制御部は、前記シートが画像形成の対象である場合に、前記第一領域と前記第二領域とに対して異なる定着条件で前記定着部による定着処理を実行する、請求項１から３のいずれか一項に記載の画像形成装置。
【請求項５】
前記定着条件は、前記定着部における温度又は前記シートが前記定着部のニップ部を通過する際に要する時間に関する情報である、請求項４に記載の画像形成装置。
【発明の詳細な説明】
【技術分野】
【０００１】
本発明の実施形態は、画像形成装置に関する。
【背景技術】
【０００２】
従来、１枚のシートの中で厚みや材料等の状態の異なる部位が存在するシートが存在する。このように状態が異なる複数の部位を有するシート（以下「混在シート」という。）に対して画像形成を行う場合、品質が低下してしまう場合があった。その原因は以下のとおりである。混在シートに対する画像形成では、いずれか一つの部位の状態（例えば厚み及び材料）の条件に合わせて画像形成条件が決定される。この場合、決定された画像形成条件と他の部位における最適な画像形成条件とが不一致となる場合があるためである。
【先行技術文献】
【特許文献】
【０００３】
【特許文献１】特開２０００−２３５３０８号公報
【発明の概要】
【発明が解決しようとする課題】
【０００４】
本発明が解決しようとする課題は、厚みや材料等の状態の異なる複数の部位を有するシート（混在シート）に対する画像形成の品質を向上させることができる画像形成装置を提供することである。
【課題を解決するための手段】
【０００５】
実施形態の画像形成装置は、転写部と、転写制御部と、を持つ。転写部は、像担持体上に形成された像をシートに転写する。転写制御部は、状態が異なる少なくとも第一領域と第二領域を持つシートに対して、それぞれの領域に対して第一転写条件と第二転写条件とを設定する。
【図面の簡単な説明】
【０００６】
【図１】実施形態の画像形成装置が画像形成の対象とする混在シート１０の一例を示す図である。
【図２】実施形態の画像形成装置１００の全体構成例を示す外観図である。
【図３】実施形態の画像形成装置１００の画像形成処理に関連する機能構成を示すブロック図である。
【図４】画像形成装置１００のプリンタ部１３０の具体例を示す図である。
【図５】画像形成対象のシートが混在シート１０である場合の転写制御部７２の動作の流れを示すフローチャートである。
【図６】画像形成対象のシートが混在シート１０である場合の定着制御部７３の動作の流れを示すフローチャートである。
【図７】混在シート１０の各位置における電圧値の変化の具体例を示す図である。
【図８】画像形成装置１００の具体例を示す図である。
【図９】画像形成装置１００の具体例を示す図である。
【発明を実施するための形態】
【０００７】
以下、実施形態の画像形成装置を、図面を参照して説明する。
（概略）
まず、実施形態の画像形成装置の概略について説明する。図１は、実施形態の画像形成装置が画像形成の対象とする混在シート１０の一例を示す図である。混在シート１０は、状態がそれぞれ異なる複数の部位を有する。図１の例では、混在シート１０は、第一の状態を有する第一領域１１の部位と、第二の状態を有する第二領域１２の部位とを有する。第一領域１１は、普通紙で形成される部位である。第二領域１２は、普通紙の上に樹脂コートが施されたシール１２１及びシール１２２が形成された部位である。第二領域１２では、シール１２１及びシール１２２を剥がして使用することが可能である。
【０００８】
第一領域１１では、普通紙の材質に対して画像形成される。第二領域１２では、樹脂コートの材質に対して画像形成される。そのため、第一領域１１と第二領域１２とでは、画像形成が行われる対象となる部位の材質が異なる。また、第一領域１１は普通紙のみで形成されているのに対し、第二領域１２は普通紙、シールの粘着層及び樹脂コートで形成されている。そのため、第一領域１１と第二領域１２とでは、画像形成が行われる対象となる部位の厚みが異なる。図１の場合、第一領域１１は第二領域１２に比べて薄い。
【０００９】
実施形態の画像形成装置では、第一領域１１及び第二領域１２が並ぶ方向に混在シート１０が搬送されて画像形成が行われる。図１の例では、第一領域１１が第二領域１２に比べて先に搬送路を搬送され、先に画像形成がなされる。第一領域１１の搬送方向の長さは第一領域長として表され、第二領域１２の搬送方向の長さは第二領域長として表される。
【００１０】
（詳細）
次に、実施形態の画像形成装置の詳細について説明する。図２は、実施形態の画像形成装置１００の全体構成例を示す外観図である。画像形成装置１００は、例えば複合機である。画像形成装置１００は、ディスプレイ１１０、コントロールパネル１２０、プリンタ部１３０、シート収容部１４０及び画像読取部２００を備える。
【００１１】
画像形成装置１００は、トナー等の現像剤を用いてシート上に画像を形成する。シートは、例えば紙やラベル用紙である。シートは、その表面に画像形成装置１００が画像を形成できる物であればどのような物であってもよい。画像形成装置１００が画像を形成する対象となるシートには、上述した混在シート１０が含まれる。
【００１２】
ディスプレイ１１０は、液晶ディスプレイ、有機ＥＬ（Electro Luminescence）ディスプレイ等の画像表示装置である。ディスプレイ１１０は、画像形成装置１００に関する種々の情報を表示する。
【００１３】
コントロールパネル１２０は、複数のボタンを有する。コントロールパネル１２０は、ユーザの操作を受け付ける。コントロールパネル１２０は、ユーザによって行われた操作に応じた信号を、画像形成装置１００の制御部（後述する制御部７０）に出力する。なお、ディスプレイ１１０とコントロールパネル１２０とは一体のタッチパネルとして構成されてもよい。
【００１４】
プリンタ部１３０は、画像読取部２００によって生成された画像情報又は通信路を介して受信された画像情報に基づいて、シート上に画像を形成する。プリンタ部１３０は、例えば以下のような処理によって画像を形成する。プリンタ部１３０の画像形成部は、画像情報に基づいて感光体ドラム（像担持体）上に静電潜像を形成する。プリンタ部１３０の画像形成部は、静電潜像に現像剤を付着させることによって可視像を形成する。現像剤の具体例として、トナーがある。プリンタ部１３０の転写部（後述する転写部２０）は、可視像をシート上に転写する。プリンタ部１３０の定着部（後述する定着部４０）は、シートに対して加熱及び加圧を行うことによって、可視像をシート上に定着させる。なお、画像が形成されるシートは、シート収容部１４０に収容されているシートであってもよいし、手指しされたシートであってもよい。
【００１５】
シート収容部１４０は、プリンタ部１３０における画像形成に用いられるシートを収容する。
【００１６】
画像読取部２００は、読み取り対象の画像情報を光の明暗として読み取る。画像読取部２００は、読み取られた画像情報を記録する。記録された画像情報は、ネットワークを介して他の情報処理装置に送信されてもよい。記録された画像情報は、プリンタ部１３０によってシート上に画像形成されてもよい。
【００１７】
図３は、実施形態の画像形成装置１００の画像形成処理に関連する機能構成を示すブロック図である。画像形成装置１００は、転写部２０、定着部４０、記憶部６０及び制御部７０を備える。転写部２０は、画像形成の対象となる画像情報に基づいて感光体ドラム上に静電潜像を形成する。転写部２０は、静電潜像に現像剤を付着させることによって可視像を形成する。転写部は、制御部７０によって指示された転写条件に応じて可視像をシート上に転写する。なお、感光体ドラム上の可視像（トナー像）を転写ベルトに転写することを一次転写という。また、転写ベルト上の可視像をシートに転写することを二次転写という。以降、単に転写と記載する場合は二次転写を指す。また、画像形成装置１００の転写部２０には、直接転写方式が適用されてもよいし、間接転写方式が適用されてもよい。
【００１８】
定着部４０は、制御部７０によって指示された定着条件に応じてシートに対して加熱及び加圧を行うことによって、可視像をシート上に定着させる。
【００１９】
記憶部６０は、磁気ハードディスク装置や半導体記憶装置などの記憶装置を用いて構成される。記憶部６０は、シート情報記憶部６１として機能する。シート情報記憶部６１は、シートの種別毎にシート情報を記憶する。シート情報は、シートの種別毎に、シートの状態に関する情報又はシートに適した画像形成条件を示す画像形成情報が定められた情報である。以下の説明では、シート情報が画像形成情報である場合の例について説明する。
【００２０】
画像形成条件は、例えば転写条件及び定着条件を有する。転写条件は、そのシートに対して転写を行う際に適していると想定される動作の条件である。転写条件は、例えば転写ローラに対して印加される転写バイアスの値である。定着条件は、そのシートに対して定着を行う際に適していると想定される動作の条件である。定着条件は、例えば定着ローラの温度（以下「定着温度」という。）と、シートがニップ部を通過する際に要する時間に関する情報（以下「搬送情報」という。）と、を含む。搬送情報は、例えば搬送速度及びニップ圧力によって表されてもよい。
【００２１】
混在シート１０に関するシート情報は、状態が異なる部位毎に適した画像形成条件と、その部位の長さと、その部位に処理が実行されるまでに要する時間に関する情報（以下「到達情報」という。）とを有する。例えば、図１に示される混在シート１０に関するシート情報は、第一領域１１に関する情報と第二領域１２に関する情報とを有する。
【００２２】
第一領域１１に関する情報は、第一領域１１に関する画像形成条件と、第一領域長と、混在シート１０の搬送方向に対して先頭に位置していることを意味する。第一領域１１に関する到達情報は、例えば“０”センチメートルとして表されてもよい。この場合、制御部７０は、そのときの搬送速度で到達情報を除算することによって混在シート１０に対する処理（転写処理や定着処理）が開始されてからその処理が第一領域１１に及ぶまでに要する時間を算出する。第一領域１１に関する画像形成条件は、例えば転写バイアスＶ１、定着温度Ｔ１として定義されてもよい。この場合、搬送情報は部位にかかわらず一定の値として定義されてもよい。
【００２３】
第二領域１２に関する情報は、第二領域１２に関する画像形成条件と、第二領域長と、混在シート１０の搬送方向に対して２番目に位置していることと、を示す。第二領域１２に関する到達情報は、例えば“ｎ”センチメートル（ｎは第一領域長）として表されてもよい。この場合、制御部７０は、そのときの搬送速度で到達情報を除算することによって混在シート１０に対する処理（転写処理や定着処理）が開始されてからその処理が第二領域１２に及ぶまでに要する時間を算出する。第二領域１２に関する画像形成条件は、例えば転写バイアスＶ２、定着温度Ｔ２として定義されてもよい。この場合、上述したように、搬送情報は部位にかかわらず一定の値として定義されてもよい。図１の例では、Ｖ１＜Ｖ２、Ｔ１＜Ｔ２という関係の値として各値が定義される。
【００２４】
例えば、定着温度が部位にかかわらず一定である場合には、搬送情報が部位に応じて異なる値に定義されてもよい。具体的には、ニップ圧力が一定の場合には、第一領域１１における搬送速度がＳ１、第二領域１２における搬送速度がＳ２として定義されてもよい。この場合、Ｓ１＞Ｓ２という関係の値として各値が定義される。
【００２５】
制御部７０は、ＣＰＵがプログラムを実行することによって、画像形成制御部７１、転写制御部７２及び定着制御部７３として機能する。
【００２６】
画像形成制御部７１は、シートに対する画像形成処理を制御する。画像形成制御部７１は、例えば搬送路内におけるシートの搬送、画像読み取り処理、画像補正処理、転写処理、定着処理、排紙処理等の処理を実行する。画像形成制御部７１は、転写処理を実行する際には、転写制御部７２に対して転写部２０の制御を行うように指示する。画像形成制御部７１は、定着処理を実行する際には、定着制御部７３に対して定着部４０の制御を行うように指示する。
【００２７】
転写制御部７２は、転写部２０の動作を制御する。転写制御部７２は、画像形成の対象となるシートのシート情報に応じて、転写部２０の転写バイアスの値を制御する。
【００２８】
定着制御部７３は、定着部４０の動作を制御する。定着制御部７３は、画像形成の対象となるシートのシート情報に応じて、定着部４０の定着温度、搬送速度、ニップ圧力を制御する。
【００２９】
図４は、画像形成装置１００のプリンタ部１３０の具体例を示す図である。プリンタ部１３０は、転写部２０、中間搬送部３０及び定着部４０を備える。
【００３０】
転写部２０は、複数の感光体ドラム２１（２１−１、２１−２、２１−３、２１−４）、複数の一次転写ローラ２２（２２−１、２２−２、２２−３、２２−４）、複数の転写搬送ローラ２３（２３−１及び２３−２）、二次転写ローラ２４（２４−１及び２４−２）、転写ベルト２５を備える。複数の感光体ドラム２１は、各々に割り当てられた色に対応する画像の可視像を形成する。一次転写ローラ２２は、各々に対向して位置する感光体ドラム２１上の可視像を転写ベルト２５上に移動させる。転写搬送ローラ２３は、転写ベルト２５を所定の方向は所定の速度にて搬送する。二次転写ローラ２４は、転写制御部７２の制御に応じて帯電することによって、転写ベルト２５上に形成された可視像を、画像形成の対象となるシート９０上に転写する。
【００３１】
中間搬送部３０は、転写部２０によって可視像が転写されたシート９０を定着部４０へ搬送する。二次転写ローラ２４によってシート９０が挟まれる位置から、中間搬送部３０を介して、定着部４０においてシート９０が挟まれる位置までの長さ“Ｌ”は、シート９０の搬送方向の長さよりも長いことが望ましい。
【００３２】
定着部４０は、ヒートローラ４１及び加圧ローラ４２を備える。ヒートローラ４１は、内部にヒーターを備える。ヒーターは、定着制御部７３の制御に応じた温度となる。加圧ローラ４２は、不図示の加圧部（例えばバネ）によってヒートローラ４１方向に加圧される。この加圧によって、ヒートローラ４１と加圧ローラ４２との間にはニップ部が形成される。
【００３３】
図５は、画像形成対象のシートが混在シート１０である場合の転写制御部７２の動作の流れを示すフローチャートである。転写制御部７２は、画像形成対象の混在シート１０に関するシート情報をシート情報記憶部６１から予め読み出す。転写制御部７２は、各部位の到達情報に基づいて、最初に転写処理の対象となる部位を判定する。混在シート１０が転写部２０に到達すると、転写制御部７２は、最初に転写処理の対象となる部位の転写条件にて転写を開始する。図１の混在シート１０の例では、転写制御部７２は、第一転写条件で転写を開始する（ＡＣＴ１０１）。
【００３４】
次に、転写制御部７２は、各部位の到達情報に基づいて２番目に転写処理の対象となる部位を判定する。図１の混在シート１０の例では、２番目の転写処理の対象となる部位は第二領域１２であり、第一領域長が搬送された後に第二領域１２に対する転写処理が開始される。転写制御部７２は、シートの搬送速度と第一領域長とに基づいて、第一領域１１が転写部２０（具体的には二次転写ローラ２４によってシートが挟まれる位置）を通過したか否か判定する（ＡＣＴ１０２）。転写制御部７２は、第一領域１１が通過するまでは（ＡＣＴ１０２−ＮＯ）、第一転写条件での転写処理を継続する。一方、第一領域１１が通過すると（ＡＣＴ１０２−ＹＥＳ）、転写制御部７２は、第二転写条件で転写を開始する（ＡＣＴ１０３）。その後、混在シート１０に対する転写が終了するまで、転写制御部７２は第二転写条件での転写処理を継続する。
【００３５】
図６は、画像形成対象のシートが混在シート１０である場合の定着制御部７３の動作の流れを示すフローチャートである。定着制御部７３は、画像形成対象の混在シート１０に関するシート情報をシート情報記憶部６１から予め読み出す。定着制御部７３は、各部位の到達情報に基づいて、最初に転写処理の対象となる部位を判定する。混在シート１０が定着部４０に到達すると、定着制御部７３は、最初に定着処理の対象となる部位の定着条件にて定着を開始する。図１の混在シート１０の例では、定着制御部７３は、第一定着条件で定着を開始する（ＡＣＴ２０１）。
【００３６】
次に、定着制御部７３は、各部位の到達情報に基づいて２番目に定着処理の対象となる部位を判定する。図１の混在シート１０の例では、２番目の定着処理の対象となる部位は第二領域１２であり、第一領域長が搬送された後に第二領域１２に対する定着処理が開始される。定着制御部７３は、シートの搬送速度と第一領域長とに基づいて、第一領域１１が定着部４０（具体的には定着部４０によってシートが挟まれる位置）を通過したか否か判定する（ＡＣＴ２０２）。定着制御部７３は、第一領域１１が通過するまでは（ＡＣＴ２０２−ＮＯ）、第一定着条件での定着処理を継続する。一方、第一領域１１が通過すると（ＡＣＴ２０２−ＹＥＳ）、定着制御部７３は、第二定着条件で定着を開始する（ＡＣＴ２０３）。その後、混在シート１０に対する定着が終了するまで、定着制御部７３は第二定着条件での定着処理を継続する。
【００３７】
このように、実施形態の画像形成装置１００では、１枚の混在シート１０に対する画像形成処理において、その途中で転写条件及び定着条件が変更される。そのため、厚みや材料等の状態の異なる複数の部位を有するシート（混在シート）に対する画像形成の品質を向上させることができる。より具体的には、混在シート１０の第一領域１１と第二領域１２とに対してそれぞれ転写処理及び定着処理が実行されるタイミングで、各領域に応じた転写条件及び定着条件で各処理が実行される。そのため、上述した効果を奏することが可能となる。
【００３８】
（変形例）
シート情報は、上述したように、シートに適した画像形成条件を示す画像形成情報ではなく、シートの状態に関する情報であってもよい。例えば、シート情報は、状態が異なる部位毎の状態に関する情報（厚さ及び材質）と、その部位の長さと、その部位の到達情報とを有してもよい。この場合、画像形成装置１００の転写制御部７２及び定着制御部７３は、画像形成の対象となるシートの厚さ及び材質に応じた転写条件及び定着条件を取得するように構成される。例えば、記憶部６０が予めシートの厚さ及び材質毎に適した転写条件及び定着条件を記憶するように構成されてもよい。この場合、転写制御部７２及び定着制御部７３は、シート情報記憶部６１から読み出されたシートの状態の情報に応じて、適した転写条件及び定着条件を記憶部６０から読み出してもよい。
【００３９】
制御部７０は、定着制御部７３を備えないように構成されてもよい。この場合、画像形成装置１００では、混在シート１０に対する画像形成処理において、第一領域１１と第二領域１２とに対してそれぞれ各領域に応じた転写条件で転写処理が実行される。このような構成においても、各領域に応じた転写が行われるため、画像形成の品質を向上させることができる。
【００４０】
制御部７０は、転写制御部７２を備えないように構成されてもよい。この場合、画像形成装置１００では、混在シート１０に対する画像形成処理において、第一領域１１と第二領域１２とに対してそれぞれ各領域に応じた定着条件で定着処理が実行される。このような構成においても、各領域に応じた定着が行われるため、画像形成の品質を向上させることができる。
【００４１】
図１の例では、混在シート１０には、状態が異なる領域が二つ存在する。画像形成装置１００が画像形成の対象とする混在シート１０には、状態が異なる領域が三つ以上存在してもよい。この場合も、各領域に関する各情報がシート情報記憶部６１に記憶される。
【００４２】
（シート情報の取得方法）
以下、画像形成装置１００におけるシート情報の取得方法について複数説明する。
まず、第一の取得方法について説明する。画像形成装置１００は、他の情報処理装置において予め記憶されているシート情報を、通信経路を介して受信することによって取得してもよい。他の情報処理装置の具体例として、シート（特に混在シート）を提供している提供者によって設けられたサーバーがある。他の情報処理装置の具体例として、画像形成装置１００を使用するユーザが使用する情報処理装置（パーソナルコンピュータ、スマートフォン、タブレット等）がある。
【００４３】
次に、第二の取得方法について説明する。画像形成装置１００は、シート（特に混在シート）が梱包されている梱包材に予め設けられた画像に基づいてシート情報を取得してもよい。このような画像は、例えばバーコードや二次元バーコードとして設けられてもよい。この場合、ユーザは、所定のバーコードリーダーを用いることによって画像形成装置１００に対してシート情報を登録する。例えば、バーコードリーダーは画像形成装置１００に接続されていても良いし、他の情報処理装置（例えばパーソナルコンピュータ、スマートフォン、タブレット等）に接続されていても良い。また、他の情報処理装置がバーコードリーダーとして機能してもよい。
【００４４】
次に、第三の取得方法について説明する。画像形成装置１００は、シート（特に混在シート）が梱包されている梱包材に予め設けられた記憶媒体からシート情報を取得してもよい。このような記憶媒体は、例えばＲＦＩＤタグを用いて構成されてもよい。この場合、ユーザは、所定のＲＦＩＤタグリーダーを用いることによって画像形成装置１００に対してシート情報を登録する。例えば、ＲＦＩＤタグリーダーは画像形成装置１００に設けられていてもよいし、画像形成装置１００に接続されていてもよいし、他の情報処理装置（例えばパーソナルコンピュータ、スマートフォン、タブレット等）に接続されていてもよい。また、他の情報処理装置がＲＦＩＤタグリーダーとして機能してもよい。
【００４５】
次に、第四の取得方法について説明する。画像形成装置１００は、シートを画像形成せずに搬送することによってシート情報を取得してもよい。以下、この第四の方法についてより詳細に説明する。
【００４６】
第四の取得方法を実行する画像形成装置１００は、搬送路においてシート情報を取得する動作モード（以下「調整モード」という。）での動作を実行する。調整モードで動作する場合、転写制御部７２は、少なくともシートが転写部２０に突入してから通過し終わるまでの間、搬送速度に応じて予め適していると想定されている転写電流値を定電流制御で二次転写ローラ２４に印加する。このとき、転写制御部７２は、不図示の電圧測定装置によって、二次転写ローラ２４における電圧値の時間変化を検出する。
【００４７】
図７は、混在シート１０の各位置における電圧値の変化の具体例を示す図である。電圧値ｖ１は、シートが二次転写ローラ２４に挟まれていない状態における電圧値である。電圧値ｖ２は、第一領域１１が二次転写ローラ２４に挟まれている状態における電圧値である。電圧値ｖ３は、第二領域１２が二次転写ローラ２４に挟まれている状態における電圧値である。このように各領域における電圧値が測定されることによって、転写制御部７２は、各領域において適している転写条件を判定する。転写制御部７２は、搬送速度に応じて各領域の長さを判定してもよい。このようにして得られるシート情報を、転写制御部７２はシート情報記憶部６１に登録してもよい。
【００４８】
なお、このような調整モードにおいてシートが搬送路を搬送される際に、定着部４０が画像形成時と同様の温度で制御されていると、シートが加熱されてしまう。この場合、シートに含まれる水分が蒸発することによってシートの状態が変化してしまうおそれがある。図８及び図９は、このような問題に対する手段を有する画像形成装置１００の具体例を示す図である。
【００４９】
図８において、画像形成装置１００は、排紙ローラ８２の手前からアライニングローラ８１までを結ぶ両面印刷搬送路８３を有している。調整モードでは、定着部４０を通過したシートは両面印刷搬送路８３を介してアライニングローラ８１へ戻る。このような経路でシートが搬送される際に、定着制御部７３は、定着部４０の温度を画像形成時よりも低い温度に制御する。例えば、定着部４０は、ヒーターがオフの状態に制御されてもよい。その後、制御部７０は、調整モードから画像形成を行うモードにモードを変更し、アライニングローラ８１に到達したシートに対して画像形成を実行する。このような処理が行われることによって、シートが加熱されて状態が変化してしまうことを抑止することが可能となる。そのため、調整モードで用いられたシートに対し、調整モードで測定された値に基づいて適切な画像形成を行う事が可能となる。
【００５０】
図９において、画像形成装置１００は、転写部２０と定着部４０との間に駆動分岐ガイド８４−１及び８４−２を有する。また、画像形成装置１００は、折り返しガイド８５を有する。画像形成制御部７１は、調整モードでの動作において、駆動分岐ガイド８４−１及び８４−２を駆動させることによって、転写部２０を通過したシートを、定着部４０ではなく折り返しガイド８５へ搬送させる。折り返しガイド８５へ搬送されたシートは、折り返しガイド８５を介して両面印刷搬送路８３へ搬送され、アライニングローラ８１へ到達する。その後、制御部７０は、調整モードから画像形成を行うモードにモードを変更し、アライニングローラ８１に到達したシートに対して画像形成を実行する。このような処理が行われることによって、シートが定着部４０を通過しないため、シートが加熱されて状態が変化してしまうことを抑止することが可能となる。そのため、調整モードで用いられたシートに対し、調整モードで測定された値に基づいて適切な画像形成を行う事が可能となる。
【００５１】
以上、シート情報の取得方法について四つの具体例を説明したが、他の方法によってシート情報が画像形成装置１００によって取得されてもよい。
【００５２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５３】
１０…混在シート、１１…第一領域、１２…第二領域、１００…画像形成装置、２０…転写部、３０…中間搬送部、４０…定着部、６０…記憶部、６１…シート情報記憶部、７０…制御部、７１…画像形成制御部、７２…転写制御部、７３…定着制御部
【図１】
2018120088.tif 000003
【図２】
2018120088.tif 000004
【図３】
2018120088.tif 000005
【図４】
2018120088.tif 000006
【図５】
2018120088.tif 000007
【図６】
2018120088.tif 000008
【図７】
2018120088.tif 000009
【図８】
2018120088.tif 000010
【図９】
2018120088.tif 000011